(57)【要約】【課題】この発明は、光源からの光を前方向のみならず、光軸と交差する方向における前後方向及び周方向に広げて照射することができる照明器具を実現することを目的としている。【解決手段】この発明は、照明用ランプの光源からの光を光軸に沿う前方向にのみ照射するように反射する漏斗形状の反射板を設け、前記照明用ランプの光源からの光を光軸と交差する方向であって光軸の延びる前後方向及び光軸を回転中心とする周方向に広げて照射するように反射する曲面形状の補助反射板を設けたことを特徴とする。【選択図】図１
2005174819.tif 000002
【特許請求の範囲】
【請求項１】
照明用ランプの光源からの光を光軸に沿う前方向にのみ照射するように反射する漏斗形状の反射板を設け、前記照明用ランプの光源からの光を光軸と交差する方向であって光軸の延びる前後方向及び光軸を回転中心とする周方向に広げて照射するように反射する曲面形状の補助反射板を設けたことを特徴とする照明器具。
【請求項２】
前記補助反射板は、前記光源と対向する側に凸曲面形状の補助反射面を有する補助反射部を備え、前記補助反射面が光軸に対して傾斜するように配設したことを特徴とする請求項１に記載の照明器具。
【発明の詳細な説明】
【技術分野】
【０００１】
この発明は照明器具に係り、特に、光源からの光を前方向のみならず、光軸と交差する方向における前後方向及び周方向に広げて照射することができる照明器具に関するものである。
【背景技術】
【０００２】
展示物等を照明するスポットライトやダウンライト等の照明器具には、照明用ランプを覆うように漏斗形状の反射板を配設し、この反射板により光源からの光を光軸に沿う前方向にのみ照射するように反射するものがある。
【０００３】
このような照明器具には、ランプを固定するためのソケットを有したソケットモジュールと、ランプからの配光を行う反射板を有したミラーモジュールと、このミラーモジュールを収容するボディとを備え、ミラーモジュールをソケットモジュールに対して直接的に取付けて、配光精度を高め、放熱性能を高めたものがある。
【特許文献１】特開２００１−２２９７０１号公報
【発明の開示】
【発明が解決しようとする課題】
【０００４】
ところで、従来のスポットライト等の照明器具においては、照明ランプを覆う漏斗形状の反射板により光源からの光を光軸に沿う前方向にのみ照射するように反射しており、展示物等に光を集中して照射して注目度を高めることができる。
【０００５】
ところが、この照明器具は、光源からの光を前方向にのみ照射するものであるため、光源から照射される光の光軸と交差する方向に光を照射することができない。
【０００６】
したがって、例えば、光源からの光を光軸に沿う前方向にのみ照射する照明器具によって照射される展示物に対して、この展示物に関連する物品が側方に位置される場合には、展示物に光を照射するための照明器具に加えて、展示物の側方の部位に光を照射するための照明器具を追加して配設する必要があった。
【０００７】
また、展示物の側方の部位に光を照射する照明器具についても、光源からの光を前方向にのみ照射する照明器具を使用した場合には、光の照射範囲が狭く、十分な面積を照射することができないため、光源からの光を広げて照射することができる別異の照明器具を配設しなければならない問題があった。
【０００８】
このため、光源からの光を前方向のみならず、光軸と交差する方向であって光軸の延びる前後方向及び光軸を回転中心とする周方向の、２つの異なる方向に広げて照射することができる照明器具の実現が望まれていた。
【課題を解決するための手段】
【０００９】
この発明は、照明用ランプの光源からの光を光軸に沿う前方向にのみ照射するように反射する漏斗形状の反射板を設け、前記照明用ランプの光源からの光を光軸と交差する方向であって光軸の延びる前後方向及び光軸を回転中心とする周方向に広げて照射するように反射する曲面形状の補助反射板を設けたことを特徴とする。
【発明の効果】
【００１０】
この本発明の照明器具は、光源からの光を光軸に沿う前方向にのみ照射するように反射する漏斗形状の反射板に加えて、光源からの光を光軸と交差する方向であって前後方向及び周方向に広げて照射するように反射する曲面形状の補助反射板を設けたことにより、光源からの光を前方向のみならず、光軸と交差する方向における前後方向及び周方向に広げて照射することができる。
このため、この照明器具は、別異の照明器具を追加することなく、２つの異なる方向に光を照射することができる。
【発明を実施するための最良の形態】
【００１１】
この発明の照明器具は、漏斗形状の反射板に加えて曲面形状の補助反射板を設けたことにより、光源からの光を前方向のみならず、光軸と交差する方向における前後方向及び周方向に広げて照射することができるものである。
以下図面に基づいて、この発明の実施例を説明する。
【実施例】
【００１２】
図１〜図４は、この発明の実施例を示すものである。図１〜図３において、２はスポットライト等の照明器具、４は本体、６はフード、８は照明用ランプ、１０は光源、１２は反射板、１４は壁面である。照明器具２は、本体４のソケット（図示せず）に照明用ランプ８を装着し、本体４に連設したフード６内に照明用ランプ８を覆うように漏斗形状の反射板１２を配設している。
【００１３】
反射板１２は、光源１０に対して漏斗形状に湾曲する反射部１６を備えている。反射部１６は、光源１０と対向する側に凹曲面の漏斗形状に湾曲する反射面１８を有している。漏斗形状の反射板１２は、反射面１８により照明用ランプ８の光源１０からの光を光軸Ｐに沿う前方向にのみ照射するように反射する。
【００１４】
この照明器具２には、前記漏斗形状の反射板１０に加えて、曲面形状の補助反射板２０を設けている。補助反射板２０は、光源１０に向かって凸曲面形状に湾曲する複数の補助反射部２２を備えている。補助反射部２２は、光源１０と対向する側に向かって凸曲面形状に湾曲して突出する補助反射面２４を有している。補助反射板２０は、反射板１２の内側に照明用ランプ８の前側方に沿うように配設している。
【００１５】
この実施例の補助反射板２０は、図４〜図７に示す如く、半径Ｒ１で一部円筒面の凸曲面形状に湾曲する第１補助反射部２２−１と、この第１補助反射部２２−１の半径Ｒ１より小さい半径Ｒ２で一部円筒面の凸曲面形状に湾曲するとともに第１補助反射部２２−１の湾曲方向両側縁に夫々配設される一対の第２補助反射部２２−２とからなり、取付部２６を設けている。
【００１６】
第１補助反射部２２−１は、半径Ｒ１の第１補助反射面２４−１を有している。第２補助反射部２２−２は、半径Ｒ２の第２補助反射面２４−２を有している。また、第１補助反射部２２−１の第１補助反射面２４−１には、第２補助反射面２４−２の半径Ｒ２よりも小さい半径Ｒ３で複数の微小補助反射面２４−Ｓを有している。
【００１７】
第１・第２補助反射部２２−１・２２−２から構成される補助反射板２０は、図２に示す如く、第１・第２補助反射部２２−１・２２−２の第１・第２補助反射面２４−１・２４−２の直線的な部分の延長線Ｅが、光軸Ｐに対して角度θだけ傾斜するように漏斗形状の反射板１２内に配設して取付部２６を取付けている。
【００１８】
また、第１・第２補助反射部２２−１・２２−２から構成される補助反射板２０は、図４に示す如く、第１・第２補助反射部２２−１・２２−２の第１・第２補助反射面２４−１・２４−２が、光軸Ｐと交差する方向に指向する径方向線Ｆを挟んで対象になるように漏斗形状の反射板１２内に配設して取付部２６を取付けている。
【００１９】
これにより、補助反射板２０は、光源１０からの光を、光軸Ｐに対して角度θだけ傾斜する第１・第２補助反射部２２−１・２２−２の第１・第２補助反射面２４−１・２４−２によって、図２に示す如く、光軸Ｐと交差する方向であって光軸Ｐの延びる前後方向に広げて照射するように反射するとともに、光源１０に向かって凸曲面形状に湾曲する第１・第２補助反射面２４−１・２４−２によって、図３に示す如く、光軸Ｐと交差する方向であって光軸Ｐを回転中心とする周方向に広げて照射するように反射する。
【００２０】
次に作用を説明する。
【００２１】
照明器具２は、例えば、壁面１４に近接する天井（図示せず）に設置される。照明器具２は、照明用ランプ８に通電すると、光源１０が点灯して光が照射される。光源１０から照射される光は、照明用ランプ８を覆うように配設された漏斗形状の反射板１２と、光軸Ｐに対して角度θだけ傾斜して配設された曲面形状の補助反射板２０とによって、夫々２つの異なる方向に反射される。
【００２２】
前記反射板１２は、漏斗形状に湾曲する反射面１８によって、照明用ランプ８の光源１０からの光を光軸Ｐに沿う前方向にのみ照射するように反射する。
【００２３】
また、前記補助反射板２０は、光軸Ｐに対して角度θだけ傾斜する第１・第２補助反射面２４−１・２４−２によって、光軸Ｐと交差する方向であって光軸Ｐの延びる前後方向に広げて照射するように反射するとともに、光源１０に向かって凸曲面形状に湾曲する第１・第２補助反射面２４−１・２４−２によって、光軸Ｐと交差する方向であって光軸Ｐを回転中心とする周方向に広げて照射するように反射する。
【００２４】
これにより、この照明器具２は、光源１０からの光を光軸Ｐに沿う前方向にのみ照射するように反射する漏斗形状の反射板１２に加えて、光源１０からの光を光軸Ｐと交差する方向であって前後方向及び周方向に広げて照射するように反射する曲面形状の補助反射板２０を設けたことにより、光源１０からの光を前方向のみならず、光軸と交差する方向における前後方向及び周方向に広げて照射することができる。
【００２５】
したがって、この照明器具２は、図２に示す如く、光源１０からの光を光軸Ｐの延びる前後方向において反射板１２の端縁１２ｅ真横の壁面１４にまで照射することができ、図３に示す如く、光源１０からの光を壁面１４に広げて照射することができる。
【００２６】
このため、この照明器具２は、別異の照明器具を追加することなく、２つの異なる方向に光を照射することができる。
【００２７】
また、この照明器具２は、第１補助反射部２２−１の第１補助反射面２４−１に、第２補助反射面２４−２の半径Ｒ２よりも小さい半径Ｒ３の微小補助反射面２４−Ｓを有していることにより、微小補助反射面２４−Ｓによって細かく広がりを制御することができ、壁面１４の光のムラを無くして均一に照射することができる。
【００２８】
なお、この発明は、上述実施例に限定されるものではなく、種々の応用改変が可能である。
【００２９】
例えば、この実施例の補助反射板２０は、半径が異なる凸曲面形状の第１・第２補助反射面２４−１・２４−２の３面が光軸Ｐと交差する方向に指向する径方向線Ｆを挟んで対象になるように構成したが、図８に示す如く半径が同じ凸曲面形状の第１補助反射面２４−１の２面、図９に示す如く半径が異なる凸曲面形状の第１・第２補助反射面２４−１・２４−２の４面、図１０に示す如く半径が異なる凸曲面形状の第１〜第３補助反射面２４−１〜２４−３の５面、図１１に示す如く半径が同じ凸曲面形状の第１〜第９補助反射面２４の９面が、光軸Ｐと交差する方向に指向する径方向線Ｆを挟んで対象になるように構成することができる。
【００３０】
補助反射板２０は、このように複数の補助反射面２４を組み合わせて配設することにより、光軸Ｐを回転中心とする周方向への光の広がり角度を所望に設定することができ、また、微小補助反射面２４−Ｓを適宜に設けることにより、細かく広がりを制御することができ、壁面１４の光のムラを無くして均一に照射することができる。
【００３１】
また、この実施例の補助反射板２０は、光源１０と対向する側に凸曲面形状の補助反射面２４を有する補助反射部２２で構成したが、図１２に示す如く光源１０と対向する側に凹曲面形状の補助反射面２４を有するとともに微小補助反射面２４−Ｓを有する補助反射部２２で構成することができ、光を一度集めてから広げることができる。
【００３２】
さらに、この実施例の補助反射板２０は、第１・第２補助反射面２４−１・２４−２が光軸Ｐに対して角度θだけ傾斜するように漏斗形状の反射板１２内に配設して取付部２６により取付けたが、図１３に２点鎖線で示す如く、第１補助反射面２２−１の一端側に設けた支点２８により他端側を回動可能に支持することにより、光軸Ｐに対する角度θを変更することができ、前後方向に広がる光の広がり角度を調整することができる。
【００３３】
また、この実施例の補助反射板２０は、光源１０に向かって凸曲面形状に湾曲する第１・第２補助反射部２２−１・２２−２を漏斗形状の反射板１２内に配設して取付部２６により取付けたが、図１４に２点鎖線で示す如く、ガイド部材３０により第１・第２補助反射部２２を光源１０に対して近接離間可能に支持することにより、光源１０から第１・第２補助反射面２４−１・２４−２までの距離を変更することができ、光の広がり角度を調整することができる。
【産業上の利用可能性】
【００３４】
この発明の照明器具は、別異の照明器具を追加することなく、１つの照明器具によって２つの異なる方向に光を照射することができるものであり、展示物とその説明文等の２つの部分の照明に利用することができる。
【図面の簡単な説明】
【００３５】
【図１】この発明の実施例を示す照明器具の斜視図である。
【図２】照明器具の縦断面図である。
【図３】照明器具の横断面図である。
【図４】補助反射板の断面図である。
【図５】補助反射板の平面図である。
【図６】補助反射板の正面図である。
【図７】補助反射板の側面図である。
【図８】補助反射板の第１の変形例を示す断面図である。
【図９】補助反射板の第２の変形例を示す断面図である。
【図１０】補助反射板の第３の変形例を示す断面図である。
【図１１】補助反射板の第４の変形例を示す断面図である。
【図１２】補助反射板の第５の変形例を示す断面図である。
【図１３】補助反射板の第６の変形例を示す断面図である。
【図１４】補助反射板の第７の変形例を示す断面図である。
【符号の説明】
【００３６】
２  照明器具
４  本体
６  フード
８  照明用ランプ
１０  光源
１２  反射板
１４  壁面
１６  反射部
１８  反射面
２０  補助反射板
２２  補助反射部
２４  補助反射面
【図１】
2005174819.tif 000003
【図２】
2005174819.tif 000004
【図３】
2005174819.tif 000005
【図４】
2005174819.tif 000006
【図５】
2005174819.tif 000007
【図６】
2005174819.tif 000008
【図７】
2005174819.tif 000009
【図８】
2005174819.tif 000010
【図９】
2005174819.tif 000011
【図１０】
2005174819.tif 000012
【図１１】
2005174819.tif 000013
【図１２】
2005174819.tif 000014
【図１３】
2005174819.tif 000015
【図１４】
2005174819.tif 000016